(57)【要約】 【課題】  点滴中に病院内を移動する際、院内感染の心配が生じることなく移動できるようにするための院内感染防止用用具の提供を図る。【解決手段】  移動用キャスターを具えた点滴用スタンドと、当該スタンドを用いた点滴中の患者とを、各一緒に被うためのカバー体を具え、当該カバー体は、当該点滴用スタンドの上端部分で支持されるように構成したことを特徴とする院内感染防止用具であり、院内感染の心配が生じることなく移動できることと、点滴患者であることに基づく一種の気恥ずかしさを感じることなく移動することが出来る。【選択図】  図１
2012183176.tif 000002
【特許請求の範囲】
【請求項１】
移動用キャスターを具えた点滴用スタンドと、当該スタンドを用いた点滴中の患者とを、各一緒に被うためのカバー体を具え、当該カバー体は、当該点滴用スタンドの上端部分で支持されるように構成したことを特徴とする院内感染防止用具。
【請求項２】
移動用キャスターを具えた点滴用スタンド(Ａ)の上端部分に、当該スタンド(Ａ)と点滴を受けている患者を囲繞可能とする大きさを具えた枠体(１)を取り付け、当該枠体(１)に対して、患者の頭の上から膝の高さまでを被うためのシート状カバー体(２)を、その全周にわたって垂設すると共に、当該シート状カバー体(２)には患者の出入りを可能とするための所要の開閉用部(2ａ)を形成して成る請求項１に記載の院内感染防止用具。
【請求項３】
車椅子(Ｂ)の所要箇所に予め固定されている点滴スタンド(Ｃ)の上端部分に対して、患者が乗っている車椅子全体を被うためのシート状カバー体(20)を取り付けたことを特徴とする院内感染防止用具。
【請求項４】
シート状カバー体を取り付けている枠体を、点滴用スタンドの上端に対して、水平状態から垂直状態に折畳み可能とするように取り付けるように構成した請求項１乃至請求項３の何れかに記載の院内感染防止用具。
【請求項５】
シート状カバー体を不透明な材料で形成すると共に、点滴中の患者の眼の高さの部分に、透明資材製窓部を設けるように構成した請求項１乃至請求項４の何れかに記載の院内感染防止用具。
【発明の詳細な説明】
【技術分野】
【０００１】
本発明は、点滴中に病院内を移動する際、院内感染の心配が生じることなく移動できるようにするための院内感染防止用具に関する。
【背景技術】
【０００２】
従来、例えば病室から、診察室への移動、会計のための窓口への移動、見舞客との歓談のための待合室への移動等、病院内を移動する機会は結構多いものである。  そして、これらの移動に際して他の患者や外来者との接触に基き、風邪等の病気をうつされてしまう、いわゆる院内感染の恐れが生じることを余儀なくされた。
【０００３】
従来、このような感染を防止するための手段として、予防衣を着用することを通例とした（例えば第１特許文献参）。
然し乍、点滴を受けながらの移動時には、点滴用スタンド（例えば第２特許文献参照）と共に移動しなければならず、そしてこれと連なっている点滴の管の存在もあるため、上記したような予防衣の脱ぎ着には困難性が必然伴うためである。  従って、このような予防衣の着用は殆ど不適当とされた。
更に、点滴を受けながら車椅子に乗っての移動に際しては、点滴用スタンドを具えた車椅子（特許文献３参照）を使用するが、この場合にあっても、上記点滴スタンドと共に移動する場合と同様に、点滴を受けている腕部分は必然的に露出状態となることを余儀なくされた。
【０００４】
そして、このように腕部分を露出状態にあり、かつ、点滴用チューブが腕に刺し込まれている状態では、上記したような予防衣着用が出来ず、従って、その移動時に院内感染を生じてしまう確率が比較的高いものとされた。  更に、点滴を受けていると言うことは、体力的な低下が生じている場合が多く、従って、病原菌に対する耐性が弱く、院内感染の恐れがより一層強まることとされた。
【先行技術文献】
【特許文献】
【０００５】
【特許文献１】特開２０００−０７３２０９号公報
【特許文献２】特開２０１１−０１０６８２号公報
【特許文献３】特開２０１０−２５３１２１号公報
【発明の概要】
【発明が解決しようとする課題】
【０００６】
本発明は、点滴を受けながらの移動に際しては、点滴用スタンドを含めて体全体がカバー体に覆われるようにすることによって、院内感染に対する恐れを回避させ、以って前述したような従来の問題点の解消化を図った新規の院内感染防止用具を提供するものである。
【課題を解決するための手段】
【０００７】
本発明は請求項１に記載のように、移動用キャスターを具えた点滴用スタンドと、当該スタンドを用いた点滴中の患者とを、各一緒に被うためのカバー体を具え、当該カバー体は、当該点滴用スタンドの上端部分で支持されるように構成したことを特徴とする院内感染防止用具に係る。
【０００８】
本発明は請求項２に記載のように、移動用キャスターを具えた点滴用スタンドＡの上端部分に、当該スタンドＡと点滴を受けている患者を囲繞可能とする大きさを具えた枠体１を取り付け、当該枠体１に対して、患者の頭の上から膝の高さまでを被うためのシート状カバー体２を、その全周にわたって垂設すると共に、当該シート状カバー体２には患者の出入りを可能とするための所要の開閉用部2ａを形成して成る請求項１に記載の院内感染防止用具を実施の態様とする。
【０００９】
本発明は請求項３に記載のように、車椅子Ｂの所要箇所に予め固定されている点滴スタンドＣの上端部分に対して、患者が乗っている車椅子全体を被うためのシート状カバー体を取り付けたことを特徴とする院内感染防止用具に係る。
【００１０】
本発明は請求項４に記載のように、シート状カバー体を取り付けている枠体を、点滴用スタンドの上端に対して、水平状態から垂直状態に折畳み可能とするように取り付けるように構成した請求項１乃至請求項３の何れかに記載の院内感染防止用具を実施の態様とする。
【００１１】
本発明は請求項５に記載のように、シート状カバー体を不透明な材料で形成すると共に、点滴中の患者の眼の高さの部分に、透明資材製窓部を設けるように構成した請求項１乃至請求項４の何れかに記載の院内感染防止用具を実施の態様とする。
【発明の効果】
【００１２】
本発明は請求項１に記載のような構成、すなわち、移動用キャスターを具えた点滴用スタンドと、当該スタンドを用いた点滴中の患者とを、各一緒に被うためのカバー体を具え、当該カバー体は、当該点滴用スタンドの上端部分で支持されるように構成したから、点滴を行いながらの移動に際して、点滴用スタンドを含めて患者の体全体がカバー体に覆われているため、身体に対する黴菌が付着することがよく防止され、いわゆる院内感染というような事態発生を未然に回避させる。  同時に、例えばカバー体を不透明材料で形成した場合、カバー体内の患者は、周りの人々の眼から遮られているため、一般人と紛れていても、点滴患者であることに基づく一種の気恥ずかしさを感じることなく移動することが出来る。
【００１３】
本発明は請求項２に記載のような構成、すなわち、移動用キャスターを具えた点滴用スタンドＡの上端部分に、当該スタンドＡと点滴を受けている患者を囲繞可能とする大きさを具えた枠体１を取り付け、当該枠体１に対して、患者の頭の上から膝の高さまでを被うためのシート状カバー体２を、その全周にわたって垂設すると共に、当該シート状カバー体２には患者の出入りを可能とするための所要の開閉用部2ａを形成することにより、前記請求項１の場合と同様な効果を奏すると共に、枠体１の存在に基くシート状カバー体２の安定化、並びに、開閉用部2ａを形成したことによるシート状カバー体２に対する患者の出入りの簡易性及び迅速性が図られる。
【００１４】
本発明は請求項３に記載のような構成、すなわち、車椅子Ｂの所要箇所に予め固定されている点滴スタンドＣの上端部分に対して、患者が乗っている車椅子全体を被うためのシート状カバー体を取り付けるようにしたから、車椅子を利用しての点滴中の移動に際して、点滴用スタンドを含めて患者の体全体がカバー体に覆われているため、身体に対する黴菌が付着することがよく防止され、いわゆる院内感染というような事態発生を未然に回避させる。
【００１５】
本発明は請求項４に記載のような構成、すなわち、シート状カバー体を取り付けている枠体を、点滴用スタンドの上端に対して、水平状態から垂直状態に折畳み可能とするように取り付けるように構成したから、不使用時には枠体を立てておくことにより、シート状カバー体が束ねられた状態となり、保管時の占有スペースを最小化させることが出来る。そして、このような状態において患者の出入りを行うことにより、動作の迅速性が図られる。
【００１６】
本発明は請求項５に記載のような構成、すなわち、シート状カバー体を不透明な材料で形成すると共に、点滴中の患者の眼の高さの部分に、透明資材製窓部を設けるように構成することにより、内部に居る患者は、シート状カバー体により、周りの人々の眼から遮られているため、点滴患者であることの一種の気恥ずかしさを感じることなく移動することが出来る。  そして、当該透明資材製窓部の存在に基き、歩行時の視界は確保されることとなる。
【図面の簡単な説明】
【００１７】
【図１】本発明の第１実施例の使用状態を表した説明用斜視図である。
【図２】本発明の一部切欠正面図である。
【図３】本発明の第２実施例の使用状態を表した説明用一部切欠側面図である。
【発明を実施するための形態】
【００１８】
図１及び図２は本発明の第１実施例を表したものである。  同図において、Ａは移動用キャスターを具えた点滴用スタンド、１は当該スタンドＡの上端に取り付けた枠体であって、その寸法は、当該点滴用スタンドＡと、当該スタンドＡを用いて点滴を行う患者とがスッポリと入る程度の大きさを具えたものである。  
【００１９】
２は上記した枠体１に対してその全周わたってカーテン状に垂下させて取り付けたシート状カバー体であって、点滴を行っている患者の頭の上から膝の高さまでを被う程度の丈幅を具えていることが好ましい。  そして、当該シート状カバー体２は不透明な材料を用いると共に、防菌性、耐消毒処理に適した材料、例えば合成樹脂製シート材等を用いることが好ましいが、布材、化学繊維材等のような軽い材質のものであっても良い。
【００２０】
2ａは上記患者の眼のあたりに位置するように設けた透明資材製窓部であって、歩行に際する透視用窓としての役割を果たすものである。  すなわち、シート状カバー体２内にいる患者は、シート状カバー体２が不透明素材の場合は周りの人々から見られることがないが、歩行時の視野が妨げられることとなる。  そのために、当該透明資材製窓部2ａを透して当該患者の視界確保がなされるように構成してある。  なお、シート状カバー体２を透明資材で形成した場合は、このような窓部２ａの形成は不要である。
【００２１】
また、上記したシート状カバー体２の所要箇所には、患者の出入りを行わせるために、その高さ方向全長に渡って開閉用部2ｂが形成してある。  当該開閉用部2ｂは図示のように両端縁を開閉自在に重ね合わせるように構成したもの（巻きスカート状の構成）、或いはスリット状に構成したもの、若しくは、開閉用部の両端縁をファスナーまたはスナップ止めで開閉自在とするように構成したもの等、適宜形態のものであっても可とする。
【００２２】
更に、シート状カバー体２の取り付けは、既述したように枠体１部分で行うものであるが、当該枠体１をスタンドＡの上端に対して、図２に矢印で示すように、水平状態から垂直状態に折畳み可能とするように構成することが好ましい。  当該枠体１を垂直状態とすることにより、シート状カバー体２が点滴用スタンドＡ側に寄せられて保管上のコンパクト化が図られると共に、この状態にあるとシート状カバー体２が引上げ状態にあるため、患者の出入りが容易化されると言うような作用効果を奏することとなる。
【００２３】
上記したような回動機構は、図１及び図２に示す実施例にあっては、取付け用桟状杆1ａ、回動用レバー杆1ｂ、スタンドに取り付けかつ当該回動用レバー杆1ｂを回転自在に支持するための枢支用金具1ｃで構成してあるが、これに限定されるものではない。  すなわち、シート状カバー体２を支持する枠体１がスタンドに対して水平状態から垂直状体に転移可能とするものであれば、如何なる構成のものであっても可とする。
【００２４】
更に、シート状カバー体２（枠体１）のスタンドに対する取付けであるが、これは図示のように固定的取り付けに限定されるものではなく、着脱自在性を具えた取り付け形式を採用するように構成しても良い。
【００２５】
図３は本発明の第２実施例を表したものである。  点滴用スタンドとして、車椅子Ｂの側面等所要箇所に予め取り付けられている車椅子用点滴スタンドＣに対して、第１実施例において述べたのと同様な形態（車椅子に適応させるために寸法的相違は存在する。）を具えたシート状カバー体20を取り付けるように構成したものである。    
【００２６】
本発明は図１または図３に示すような状態で使用に供するものである。  そして、この状態において患者はその周りをカバーされた状態となるため、点滴用スタンドと共に移動する際に、近傍者が咳きをして風邪をうつしてしまうと言うような心配を生じることなく、病院内での移動が可能化される。  同時に、カバー体の内部に居る患者は、周りの人々の眼から遮られているため、点滴患者であることの一種の気恥ずかしさを感じることなく移動することが出来る。
【産業上の利用可能性】
【００２７】
病院の院内感染防止に利用できる。
【符号の説明】
【００２８】
Ａ  点滴用スタンド
１  枠体
２  シート状カバー体
2ａ  透明資材製窓部
2ｂ  開閉用部
1ａ  取付け用桟状杆
1ｂ  回動用レバー杆
1ｃ  枢支用金具
Ｂ  車椅子
Ｃ  車椅子用点滴スタンド
20  シート状カバー体
【図１】
2012183176.tif 000003
【図２】
2012183176.tif 000004
【図３】
2012183176.tif 000005